(57)【要約】【課題】敷地の有効利用を図ることができ、工期が削減でき、優れた転倒防止能力を有する境界壁を提供する。【解決手段】境界壁１は、本体部１０とパイプ部２０を有し、Ｌ字状になるように形成されている。本体部１０は、上面１１ｂから下面１１ａに貫通するように形成された１または複数の貫通孔１３を有しており、貫通孔１３は、１または複数のパイプ部２０が、嵌め込まれるように形成されている。パイプ部２０の上部分２１は、貫通孔１３に嵌め込まれた状態で、モルタルＭで接着されるように形成されており、パイプ部２０の下部分２２は、土中に埋め込まれるように形成されている。【選択図】図１
0003212955.tif 000002
【実用新案登録請求の範囲】
【請求項１】
略矩形板状の底部と、前記底部と一体的に形成された略矩形板状の壁部を有し、前記底部と前記壁部がＬ字状になるように形成され、前記底部は、底面と前記底面と略平行な上面を有し、前記底面と前記上面は、前記壁部と略直角になるように形成されている本体部と、
１または複数のパイプ部と、
を有し、
前記本体部は、前記上面から前記下面に貫通するように形成された１または複数の貫通孔を有し、
前記１または複数の貫通孔は、前記１または複数のパイプ部が嵌め込まれるように形成されており、
前記パイプ部の上部分は、前記貫通孔に嵌め込まれた状態で、接着剤で接着されるように形成され、
前記パイプ部の下部分は、土に埋め込まれるように形成されていることを特徴とする境界壁。
【請求項２】
前記貫通孔の径は、前記パイプ部の径よりも大きくなるように形成され、且つ、前記貫通孔の前記上面の径は、前記貫通孔の前記底面の径よりも大きくなるように形成されていることを特徴とする請求項１に記載の境界壁。
【請求項３】
前記パイプ部の上部分の上端は、パイプ止めとしてのパイプ固定金具で固定され、
前記パイプ部の下部分の下端は、鋭角に形成されていることを特徴とする請求項１または請求項２に記載の境界壁。
【請求項４】
建築ブロックまたはフェンスが、前記壁部に設置されるように形成されていることを特徴とする請求項１から請求項３のいずれかに記載の境界壁。
【考案の詳細な説明】
【技術分野】
【０００１】
本考案は、境界壁に関する。
【背景技術】
【０００２】
従来から、例えば宅地区割りの境界には、区割り位置を明確にするための境界壁が設置されている。また、境界壁としての間仕切り壁として、略矩形板状の底版とこの底版の端部に略垂直に立設された略矩形板状の壁部とからなるものが開示されている（特許文献参照）。
【先行技術文献】
【特許文献】
【０００３】
【特許文献１】実用新案登録第３１８５４１３号公報
【考案の概要】
【考案が解決しようとする課題】
【０００４】
上記の従来の境界壁は、敷地の有効利用という観点において問題があった。本考案は、こうした点に鑑みてなされたものであり、敷地の有効利用を図ることができ、工期が削減でき、優れた転倒防止能力を有する境界壁を提供するものである。
【課題を解決するための手段】
【０００５】
上記課題を解決するために、本考案に係る境界壁は、略矩形板状の底部と、前記底部と一体的に形成された略矩形板状の壁部を有し、前記底部と前記壁部がＬ字状になるように形成され、前記底部は、底面と前記底面と略平行な上面を有し、前記底面と前記上面は、前記壁部と略直角になるように形成されている本体部と、１または複数のパイプ部と、を有し、前記本体部は、前記上面から前記下面に貫通するように形成された１または複数の貫通孔を有し、前記１または複数の貫通孔は、前記１または複数のパイプ部が嵌め込まれるように形成されており、前記パイプ部の上部分は、前記貫通孔に嵌め込まれた状態で、接着剤で接着されるように形成され、
前記パイプ部の下部分は、土に埋め込まれるように形成されていることを特徴とする。
【０００６】
本考案に係る境界壁の態様について、前記貫通孔の径は、前記パイプ部の径よりも大きくなるように形成され、且つ、前記貫通孔の前記上面の径は、前記貫通孔の前記底面の径よりも大きくなるように形成されていることが好ましい。
【０００７】
本考案に係る境界壁の態様について、前記パイプ部の上部分の上端は、パイプ止めとしてのパイプ固定金具で固定され、前記パイプ部の下部分の下端は、鋭角に形成されていることが好ましい。
【０００８】
本考案に係る境界壁の態様について、建築ブロックまたはフェンスが、前記壁部に設置されるように形成されていることが好ましい。
【考案の効果】
【０００９】
本考案は、敷地の有効利用を図ることができ、工期が削減でき、優れた転倒防止能力を有する境界壁を提供することができる。
【図面の簡単な説明】
【００１０】
【図１】実施形態の境界壁を示す模式図である。
【図２】実施形態の境界壁の使用例を示す模式図である。
【図３】実施形態の境界壁の工法の１例を説明する参考図である。
【考案を実施するための形態】
【００１１】
以下、本考案の実施形態の境界壁１について図１から図３を用いて説明する。図１（ａ）は境界壁１の概要を示す斜視図であり、図１（ｂ）は境界壁１を側面からみた模式図であり、図２は境界壁１が敷地の土に施工されている例を示す模式図であり、及び図３は境界壁１を設置する工法を示す参考図である。
【００１２】
図１（ａ）及び図１（ｂ）に示すように、境界壁１は、本体部１０とパイプ部２０を有している。本体部１０は、略矩形板状の底部１１と、底部１１の１部と一体的に形成された略矩形板状の壁部１２を有しており、底部１１と壁部１２が、略直角に交差するように形成されており、つまりＬ字状になるように形成されている。また、底部１１は、底面１１ａと、この底面１１ａと略平行な上面１１ｂを有し、底面１１ａと上面１１ｂは、壁部１２と略直角になるように形成されている。
【００１３】
また、境界壁１は、１または複数のパイプ部２０を有しており、本体部１０は、上面１１ｂから下面１１ａに貫通するように形成された１または複数の貫通孔１３を有している。そして１または複数の貫通孔１３は、１または複数のパイプ部２０が、嵌め込まれるように形成されている。
【００１４】
パイプ部２０の上部分２１は、貫通孔１３に嵌め込まれた状態で、モルタルＭで接着されるように形成されている。また、パイプ部２０の下部分２２は、土中に埋め込まれるように形成されている。なお、モルタルＭは、接着剤の一例であり、これに限定されず適宜最適なものを選択すればよい。
【００１５】
また、貫通孔１３の径は、パイプ部２０の径よりも大きくなるように形成されており、且つ、貫通孔１３の上面１１ｂの径は、貫通孔１３の底面１１ａの径よりも大きくなるように形成されている。貫通孔１３の径が、このように形成されることで、逆勾配となり、パイプ部２０の剥落を防止することができる。
【００１６】
なお、貫通孔１３の径が、パイプ部２０の径よりも大きくなるように形成されていることで、貫通孔１３とパイプ部２０の上部分２１の間に、空洞ができ、この空洞にモルタルＭを充填することにより、貫通孔１３に上部分２１が、貫通孔１３に接着され固定される。そして、上記の逆勾配により、パイプ部２０が、貫通孔１３から剥落することを防止することができる構成となっている。
【００１７】
また、パイプ部２０の上部分２１の上端２１ａは、パイプ止めとしてのパイプ固定金具３０で固定されている。このように上端２１ａをパイプ固定金具３０で固定することで、パイプ部２０が、本体部１０から抜け落ちることを防止することができる。なお、パイプ止めは、ガイドピンやフランジなどのパイプ固定金具３０であるがこれに限定されず、パイプ止めの機能を有するものであればよい。
【００１８】
また、パイプ部２０の下部分２２の下端２２ａは、鋭角になるように形成されている。このように下端２２ａを鋭角にすることで、パイプ部２０を土中に埋め込み易くすることができる。
【００１９】
上記のとおり、本考案の境界壁１は、パイプ部２０を有することで、底部１１の幅を狭くすることができ、例えば掘削幅のとれない現場においても有効に使用することができる。このような特徴を有する境界壁１は、コーナーに対応するコーナー用などとしてもよく、コーナー用を含み複数のものを組み合わせて用いてもよい。なお、パイプ部２０は、本体部１０などの高さや荷重などにより、パイプの径、長さ、本数を適宜最適なものにするとよい。
【００２０】
図２は、建築ブロックＫＢまたはフェンスＦＥが、境界壁１の壁部１２に設置されている例を示している。図２（ａ）及び図２（ｂ）は、擁壁として用いられている例を示しており、図２（ｃ）及び図２（ｄ）は、フェンス建築用基礎として用いられている例を示している。
【００２１】
また、図２（ａ）から図２（ｃ）は、敷地の境界において土ＬＤに段差がある場合の施工の例を示しており、図２（ｄ）は、敷地の境界において土ＬＤに段差がない場合の施工の例を示している。これらの図が示すとおり、境界壁１の底部１１の幅がより狭い構成であっても、パイプ部１３を有することで、境界壁１は、優れた転倒防止機能を有している。
【００２２】
図３は、実施形態の境界壁１を敷地に設置し、この境界壁１を用いてフェンスを設置する工法を説明する参考図である。図３（ａ）に示すように工程Ｓ１００から工程Ｓ１６０までが、境界壁１を用いた新工法であり、１方、図３（ｂ）に示すように、工程Ｓ２００から工程Ｓ２８０までが、従来の工法である。
【００２３】
図３に示すとおり、新工法は、従来の工法に比べて工程を削減することができる。すなわち、従来の工法の型枠設置（工程Ｓ２３０）からフェンス設置（工程Ｓ２８０）が、新工法では、ブロック塀用基礎設置（工程Ｓ１３０）からフェンス設置（工程Ｓ１６０）となっている。このように、境界壁１を用いた新工法では、現場打ち生コンの必要がないことなどより、工期が短縮できる工法となっている。
【００２４】
本考案の境界壁１の特徴は、上記のとおり敷地の有効利用を図ることができ、工期が削減でき、優れた転倒防止能力を有することであり、すなわち、底部１１の幅を極力狭くすることができることより堀削幅のとれない現場で用いることができ、現場打ち生コンなどを工法から除くことができ、工期を短縮することができる。
【００２５】
また、境界壁１を用いた工法では、型枠組立、鉄筋加工、ブロック積み手間を除くことができ、施工費を大幅に削減することができ、さらに、簡単な工法であることより、一般の作業員で施工することができる。そして、境界壁１は、製品としてより軽いものにすることができることより、小型重機で施工することができる。
【００２６】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２７】
また、本考案の境界壁の材質、大きさや形状、素材の厚さ、重さなど、多様な実施形態が可能であり、それらについて本実施形態と異なる形態による実施は、本考案の技術的範囲に含まれる。
【符号の説明】
【００２８】
１        境界壁
１０      本体部
１１      底部
１１ａ    底面
１１ｂ    上面
１２      壁部
１３      貫通孔
２０      パイプ部
２１      上部分
２１ａ    上端
２２      下部分
２２ａ    下端
３０      パイプ固定金具
Ｍ        モルタル
ＫＢ      建築ブロック
ＦＥ      フェンス
ＬＤ      土
【図１】
0003212955.tif 000003
【図２】
0003212955.tif 000004
【図３】
0003212955.tif 000005
【手続補正書】
【提出日】平成29年8月21日(2017.8.21)
【手続補正１】
【補正対象書類名】実用新案登録請求の範囲
【補正対象項目名】請求項１
【補正方法】変更
【補正の内容】
【請求項１】
略矩形板状の底部と、前記底部と一体的に形成された略矩形板状の壁部を有し、前記底部と前記壁部がＬ字状になるように形成され、前記底部は、底面と前記底面と略平行な上面を有し、前記底面と前記上面は、前記壁部と略直角になるように形成されている本体部と、
１または複数のパイプ部と、
を有し、
前記本体部は、前記上面から前記底面に貫通するように形成された１または複数の貫通孔を有し、
前記１または複数の貫通孔は、前記１または複数のパイプ部が嵌め込まれるように形成されており、
前記パイプ部の上部分は、前記貫通孔に嵌め込まれた状態で、接着剤で接着されるように形成され、
前記パイプ部の下部分は、土に埋め込まれるように形成されていることを特徴とする境界壁。
【手続補正２】
【補正対象書類名】明細書
【補正対象項目名】０００５
【補正方法】変更
【補正の内容】
【０００５】
上記課題を解決するために、本考案に係る境界壁は、略矩形板状の底部と、前記底部と一体的に形成された略矩形板状の壁部を有し、前記底部と前記壁部がＬ字状になるように形成され、前記底部は、底面と前記底面と略平行な上面を有し、前記底面と前記上面は、前記壁部と略直角になるように形成されている本体部と、１または複数のパイプ部と、を有し、前記本体部は、前記上面から前記底面に貫通するように形成された１または複数の貫通孔を有し、前記１または複数の貫通孔は、前記１または複数のパイプ部が嵌め込まれるように形成されており、前記パイプ部の上部分は、前記貫通孔に嵌め込まれた状態で、接着剤で接着されるように形成され、
前記パイプ部の下部分は、土に埋め込まれるように形成されていることを特徴とする。
【手続補正３】
【補正対象書類名】明細書
【補正対象項目名】００１３
【補正方法】変更
【補正の内容】
【００１３】
また、境界壁１は、１または複数のパイプ部２０を有しており、本体部１０は、上面１１ｂから底面１１ａに貫通するように形成された１または複数の貫通孔１３を有している。そして１または複数の貫通孔１３は、１または複数のパイプ部２０が、嵌め込まれるように形成されている。